(57)【要約】      （修正有）【課題】壁面又はガラス面に固定される１以上の花器に対して、壁面又はガラス面に対して垂直方向から花器の開口部に向けて灌水または給肥が可能で、また灌水または給肥を行う人の不在時でも灌水または給肥ができ、また室内を余分な水分で汚すことがない灌水器具を提供する。【解決手段】灌水器具に、壁又はガラス面に固定する固定手段と少なくとも１つの水及び／又は液肥及び／又は空気の補充口と液量の調整バルブとを備え、１以上の分岐注出口を持つ分岐管を連通し、各分岐注出口には可撓性の給液管を接続させ、該給液管の先端に樹脂または金属からなる先端に給液口を穿孔した給液ノズルを接続することで、壁面又はガラス面に固定される１以上の花器に対して、自由な角度から及び長時間の持続的な灌水又は給肥を行うことができる。【選択図】図１
0003109788.tif 000002
【実用新案登録請求の範囲】
【請求項１】
壁又はガラス面に固定する固定手段と少なくとも１つの水及び／又は液肥及び／又は空気の補充口を備えた合成樹脂の貯水容器に、注出管の注入口を連通し、該注出管の注入口は貯水容器内の液面下に位置するようにし、該注出管の注出口に１つ以上の分岐注出口を持つ分岐管の注入口を連通し、各分岐注出口には可撓性の給液管を接続させ、該給液管の先端に樹脂または金属からなる先端に給液口を穿孔した給液ノズルを接続したものから構成されることを特徴とする灌水器具。
【請求項２】
上記注出管及び／又は分岐管及び／又は給液管に少なくとも１つの液量の調整バルブを備えることを特徴とする請求項１に記載の灌水器具。
【請求項３】
給液ノズルに設けられた給液口が先端部側周面に１つ以上の給液口備えることを特徴とする請求項１または請求項２に記載の灌水器具。
【考案の詳細な説明】
【技術分野】
【０００１】
本考案は壁面又はガラス面に固定される１以上の花器に灌水できる灌水器具に関するものである。
【背景技術】
【０００２】
たとえば、実願平６−６２５０号、実願平９−９９１１号などの灌水器具は、植木鉢の上側から差し込むようになっており、壁面又はガラス面に固定される１以上の花器のように、壁面又はガラス面に対して垂直方向に開口部が向く場合に、壁面又はガラス面に対して垂直方向から花器の開口部に向けて灌水が必要になる場合についての考え方は存在していなかった。また灌水を行う人の不在時でも、壁面又はガラス面に固定される１以上の花器に灌水できる灌水器具についての考えは存在していなかった。
【０００３】
【特許文献１】実願平６−６２５０号公報
【特許文献２】実願平９−９９１１号公報
【考案の開示】
【考案が解決しようとする課題】
【０００４】
壁面又はガラス面に固定される１以上の花器に対して、壁面又はガラス面に対して垂直方向から花器の開口部に向けて灌水または給肥が可能で、また灌水または給肥を行う人の不在時でも灌水または給肥ができ、また室内を余分な水分で汚すことがない灌水器具を提供しようとするものである。
【課題を解決するための手段】
【０００５】
請求項１は、壁又はガラス面に固定する固定手段と少なくとも１つの水及び／又は液肥及び／又は空気の補充口を備えた合成樹脂の貯水容器に、注出管の注入口を連通し、該注出管の注入口は貯水容器内の液面下に位置するようにし、該注出管の注出口に１以上の分岐注出口を持つ分岐管の注入口を連通し、各分岐注出口には可撓性の給液管を接続させ、該給液管の先端に樹脂または金属からなる先端に給液口を穿孔した給液ノズルを接続したものから構成されることを特徴とする灌水器具である。
【０００６】
請求項２は、上記注出管及び／又は分岐管及び／又は給液管に少なくとも１つの液量の調整バルブを備えることを特徴とする請求項１に記載の灌水器具である。
【０００７】
請求項３は、給液ノズルに設けられた給液口が先端部側周面に１つ以上の給液口備えることを特徴とする請求項１または請求項２に記載の灌水器具。
【考案の効果】
【０００８】
本考案の灌水器具において、その貯水容器を壁面又はガラス面に固定される花器より高い壁面又はガラス面に固定されることで、重力により、水又は液肥は貯水容器から該貯水容器に連通する注出管に出て、該注出管に連通する分岐管を経て、該分岐管に接続する１つ以上の可撓性の給液管に流入し、該給液管の先端に接続された樹脂または金属からなる給液ノズルの先端に穿孔された給液口から流出する。このため、同時に１つ以上の花器に対して灌水又は給肥を行うことができる。
【０００９】
可撓性の給液管に接続された給液ノズルは自由な方向から、特に壁面又はガラス面に対して垂直方向から花器の開口部に向けて、壁面又はガラス面に固定された花器に植えこまれた植物根圏まで差し込むことができ、根圏に直接的な灌水又は給肥が可能となり、余分な水又は液肥で室内の花器周りを汚すこともなくなる。
【００１０】
また、上記注出管及び／又は分岐管及び／又は給液管に少なくとも１つの液量の調整バルブを備えることで、流出する液量を適当に調整することで、長時間の持続的灌水が可能となり、灌水または給肥を行う人が不在でも、灌水又は給肥が可能となる。
【００１１】
また、給液ノズルに設けられた給液口がノズルの先端部に一つと先端部側周面に一つ以上の給液口を設けることで、先端部の給液口が泥などで詰まることがあっても、先端部側周面にある給液口から水又は液肥が排出されるので、給液できなくなることがない。
【考案を実施するための最良の形態】
【００１２】
以下、添付図面に従って具体的に実施例により説明する。図１は、本考案の灌水器具の透視斜視図である。壁又はガラス面に固定する固定手段１と少なくとも１つの水及び／又は液肥及び／又は空気の補充口２を備えた合成樹脂の貯水容器３に、注出管４の注入口５を連通し、該注出管の注入口５は貯水容器内の液面下に位置するようにし、該注出管４の注出口６に複数の分岐注出口を持つ分岐管７の注入口を連通し、各分岐注出口８には可撓性の給液管９を接続させ、該給液管９の先端に樹脂または金属からなる先端に給液口を穿孔した給液ノズル１０を接続したものから構成される。
【００１３】
分岐管７で１つ以上の給液ノズルと接続されるため、１つ以上の花器に同時に灌水又は給肥が可能となり、また可撓性の給液管９と給液ノズル１０を接続することで、給液ノズルを自由な方向から、特に壁面又はガラス面に対して垂直方向から花器の開口部に向けて、壁面又はガラス面に固定された花器に植えこまれた植物根圏まで差し込むことができ、根圏に直接的な灌水又は給肥が可能となり、余分な水又は液肥で花器周りを汚すこともなくなる。
【００１４】
注出管４に液量の調整バルブ１１を備えることで、流出する液量を適当に調整することで、長時間の持続的灌水が可能となる。このため灌水または給肥を行う人が不在でも、灌水又は給肥が可能となる。
【００１５】
図２と図３は、本考案の灌水器具の給液ノズル１０の先端部の図である。該給液ノズルには先端部給液口１２と先端部側周面給液口１３が設けられる。このため、先端部の給液口が泥などで詰まることがあっても、先端部側周面にある給液口から水又は液肥が排出されるので、給液できなくなることがない。
【図面の簡単な説明】
【００１６】
【図１】本考案の灌水器具の実施例の透視斜視図である。
【図２】本考案の灌水器具の給液ノズルと給液管の斜視図である。
【図３】本考案の灌水器具の給液ノズル先端部の透視斜視図である。
【符号の説明】
【００１７】
１  固定手段
２  補充口注出管
３  貯水容器
４  注出管              
５  注出管注入口          
６  注出管注出口        
７  分岐管
８  分岐注出口        
９  給液管                  
１０  給液ノズル            
１１  調整バルブ
１２  給液ノズル先端部給液口
１３  給液ノズル先端部側周面給液口
【図１】
0003109788.tif 000003
【図２】
0003109788.tif 000004
【図３】
0003109788.tif 000005